(57)【要約】【課題】  使用者にさらに心地よい眠りを提供するために、マットレスの硬さ・柔らかさについて使用者の要望に沿った細かな調整が、かなえられるマットレスを提供する。【解決手段】  スプリング層２の上下面の少なくとも上面に2層以上のクッション層４を有したものにおいて、表面のキルト層３が、キルティング密度が異なるものの硬さ分布を有しており、該表面キルト層３の下のクッション層４が、表面のキルト層３の硬さ分布に一致する硬さ分布を有し、クッション層４の硬さ分布に一致する硬さ分布を有していることを特徴とするマットレス。【選択図】図５
2014090964.tif 000002
【特許請求の範囲】
【請求項１】
スプリング層の上下面の少なくとも上面に2層以上のクッション層を有したものにおいて、表面のキルト層が、キルティング密度が異なるものの硬さ分布を有しており、該表面キルト層の下のクッション層が、表面のキルト層の硬さ分布に一致する硬さ分布を有したことを特徴とするマットレス。
【請求項２】
スプリング層が、硬さの異なるスプリングコイルの組み合わせによる表面キルト層およびクッション層の硬さ分布に一致する硬さ分布を有していることを特徴とする請求項1記載のマットレス。
【発明の詳細な説明】
【技術分野】
【０００１】
本発明は、スプリングマットレスにおける寝心地性の改良に関するものである。
【背景技術】
【０００２】
一般にスプリングマットレスは、多数のスプリングコイルを平板状に連結してスプリングユニットを形成し、このスプリングユニットの少なくとも一方面に保護材を介してウレタンフォーム等よりなる弾性発泡体を添設し、全体を外装体で被覆して構成されている。
【０００３】
睡眠時の快適性を保つために、マットレスの長手方向の硬さ分布を有するものが、色々と提案されている。例えば、マットレス表面のキルト層３のキルティング密度に変化を持たせ、キルティング密度の高い部分を硬くするもの、また、スプリング層２のコイルの線径の異なるものの組み合わせにより硬さ分布を付けるもの、別の観点から、湿気の発散を良くするためとして、特許公報第２８８０９１１号のマットレス表面のキルティング層にプロファイルウレタンの凹凸の大きさの異なるものを組み合わせ、吸汗綿を重合してキルティングして、硬さの分布を付けたものもあった。
【０００４】
前記の従来技術のものは、表面のキルティング層に硬さ分布を付けたものや、スプリング層２に硬さ分布を付けたものであり、マットレスの多層構造の内の１層のみに硬さの分布を付けたものであり、身体の体重分布に対応して支持し、寝姿勢を良好に保つためには不十分であった。
【先行技術文献】
【特許文献】
【０００５】
【特許文献１】特許公報第２８８０９１１号
【発明の概要】
【発明が解決しようとする課題】
【０００６】
解決しようとする問題点は、マットレスの多層構造の内、1層のみに硬さの分布を付けても身体の体重分布に応じた十分な支持が得られず、寝姿勢を良好に保つことができないという点である。
【課題を解決するための手段】
【０００７】
請求項1の本発明は、図５のスプリング層２の上下面の少なくとも上面に2層以上のクッション層４を有したものにおいて、表面のキルト層３が、キルティング密度が異なるものの硬さ分布を有しており、該表面キルト層３の下のクッション層４が、表面のキルト層３の硬さ分布に一致する硬さ分布を有したことを特徴とするマットレス１である。
【０００８】
請求項2の発明は、請求項1のスプリング層２が、硬さの異なるスプリングコイル軟性部分９及びスプリングコイル硬性部分１０の組み合わせによる表面キルト層３およびクッション層４の硬さ分布に一致する硬さ分布を有していることを特徴とするマットレス１である。
【発明の効果】
【０００９】
本発明のマットレスは、表面キルト層３およびクッション層４が硬さ分布を有しており、その硬さ分布が一致するものであることで、身体の体重分布に応じて十分な支持ができ、寝姿勢を良好に保つことができるため、身体の無駄な筋肉を使うことなく、リラックスして良い睡眠が取れ、健康を維持することができる。
【図面の簡単な説明】
【００１０】
【図１】図１は本発明におけるマットレスの全体斜視図である。
【図２】図２は図1のマットレスの平面図である。
【図３】図３は図1の一部を切り欠いて示す全体斜視図である。
【図４】図４は実施例１のマットレスと一般のマットレスの寝姿勢の比較データを示す。
【図５】図５は実施例２の一部を切り欠いて示す全体斜視図である。
【発明を実施するための形態】
【００１１】
以下、本発明の実施形態を説明する。
【実施例１】
【００１２】
図１は本発明のマットレスの一例を示すものであり、マットレス表面のキルティング密度を部分的に疎と密を別けており、クッション層４が、表面のキルト層３の硬さ分布に一致する硬さ分布を有した素材を使用したマットレスである。
【００１３】
図２は本発明のマットレスのキルティングの一例を示すものであり、マットレス中央部分にキルトの密の部分を形成し、頭や足が乗せられるマットレス長手方向両端部にはキルトの疎の部分を形成している。該表面キルト層３の詰め物として綿と薄いウレタンフォームを使用し、キルト糸を使用して表面生地と詰め物の綿やウレタンフォームを縫い込み、表面に凹凸を有したキルティングが、集中したキルト集中部分５は、キルト糸によりきつく縛り・固められるため、クッションとして硬くなる。またキルティングが分散しているキルト分散部分６はキルト糸により縛りがないため、比較的柔らかい感触のクッションとなる。
【００１４】
クッション層４はキルト層３の硬さ分布に同調するように、図３のような中央部のクッション硬性部分7は硬度の高いチップウレタンフォームを使用し、マットレス長手方向両端部のクッション軟性部分８は軟質ウレタンフォームを使用する配置で構成する。このような仕様の実施例１のようなマットレス１は中央部分が硬く、マットレス長手方向両端部は柔らかい触感のマットレスとなり、人がマットレス表面に寝転がると硬度の高い中央部分が臀部や腰の位置に相当する。
【００１５】
一般的に使用者にとって心地よい寝心地の構成要因は、マットレスの体圧分散性、クッションの触感、汗やムレに対する通気性、寝庄内環境の保温性など様々な要因があげられるが、それらと同様に重要な要素として仰臥時の寝姿勢の正しさがあげられる。この正しさとは、仰臥時の寝姿勢がどの程度人間の起立時の姿勢に等しいかを判断することである。例えば人間が極端に柔らかいクッションに横たわった場合、重心点である人間の腰部及び臀部がマットレスに一番沈み込み、頭側や脚側は比較的沈込量が少ないので側面から見ると『くの字状』の仰臥位となり、睡眠中に腰に無理な負担がかかる。腰への無理な負担を軽減させる起立時の姿勢に近しい仰臥位を形作るために、沈込み易い腰や臀部に相当するマットレス部分は、クッションを硬くしてサポートを行い、比較的に軽い頭周りや脚部分は柔らかくした。このため実施例１のマットレスに寝ることで正しい寝姿勢を形成することができる。
【００１６】
図４に実際に被験者を仰臥位で横たわらせた場合のマットレスの沈み込み量を表す。該図４の各折線は実施例１のマットレスにひし形・実線で、立位時の姿勢データを四角・鎖線で、弊社の一般的なマットレスに仰臥位で横たわった場合のマットレスの沈み込み量を三角・実線で比較したものを示す。上部グラフは実施例１のマットレスの寝姿勢と立位時の姿勢データ、下部グラフは一般的なマットレスの寝姿勢と立位時の姿勢データを比較している。グラフ縦軸はマットレスの沈込量(mm)を示し、横軸には沈込量を測定したマットレス長手方向の位置を相対的に表しており、原点の方を頭向きとし、数値が大きくなるにしたがって肩・腰・足側へと測定位置が移動する。上部と下部のグラフで腰部分と図示した部分を比較すると上部グラフの実施例１のマットレスの沈み込み量は、立位時の姿勢データの数値とほぼ一致しており腰部へのサポートがしっかりと行われていることを表している。それに対して下部グラフの一般のマットレスの場合では、立位時の姿勢データに比べ、より多く沈みこんでいることがわかり、そのことから腰に負担をかけてしまっていることが推測される。
【００１７】
図４のグラフからわかるように、本発明によって腰部分の沈込量が抑えられることにより非常に体への負担が少ないマットレスとなったと言える。
【実施例２】
【００１８】
図５は本発明のマットレスの一例を示すものであり、マットレス表面のキルティングに部分的に疎と密を設けており、クッション層４が、表面のキルト層３の硬さ分布に一致する硬さ分布を有した素材を使用し、スプリング層２内のスプリングコイルに使用する鋼線径を変化させ、表面のキルト層３の硬さ分布に一致する硬さ分布を有したマットレスである。
【００１９】
実施例１と同様に、キルト層３の詰め物には綿及びウレタンフォームを使用し、クッション層４はチップウレタンフォーム及び軟質ウレタンフォームを使用する。該スプリング層２にはポケットコイルスプリングシートを使用し、該クッション層４と同様にキルト層３の硬さ分布に同調するように、スプリングコイル硬性部分９には線形1.5mmの反発力の低いコイルを使用し、スプリングコイル軟性部分１０には線形を2.0mmの反発力の高いコイルを使用し、反発力に差を与えてクッションとしての硬さに変化を与える。
【００２０】
マットレスで眠る人の体重によって寝姿勢は大きく変化するため、体重が重い利用者の場合は実施例１のマットレスでは、想定したような腰部のサポートが期待できない場合がある。そのため、体重の重い利用者への腰へのサポート効果を高めるために、使用しているマットレスのキルト層３、クッション層４だけでなくスプリング層２の硬さにも差を設けることで寝姿勢に対する効果を上げることが可能である。
【産業上の利用可能性】
【００２１】
なお、上記の実施の形態では本発明をベッドマットレスに適応する場合について説明したが、これのみに限定されるものではなく、ソファークッションなど任意のクッション製品にも適用することが可能である。
【符号の説明】
【００２２】
１    マットレス
２    スプリング層
３    キルト層
４    クッション層
５    キルト集中部分
６    キルト分散部分
７    クッション硬性部分
８    クッション軟性部分
９    スプリングコイル硬性部分
１０    スプリングコイル軟性部分
【図１】
2014090964.tif 000003
【図２】
2014090964.tif 000004
【図３】
2014090964.tif 000005
【図４】
2014090964.tif 000006
【図５】
2014090964.tif 000007